(57)【要約】【課題】カバーの破損を防ぐことができる照明器具を提供することを目的とする。【解決手段】開口３ａを有する板材と、ソケット８ａに保持されたランプ１３の口金を覆い、開口３ａに挿入された挿入部４１ａを有するカバー４Ａとを備え、挿入部４１ａは、開口３ａに挿入された部分におけるランプ１３の長手方向に対して平行な線分の第１の長さが、開口３ａの位置におけるランプ１３の長手方向に対して平行な線分の第２の長さ以下であることを特徴とする。【選択図】      図７
2018056042.tif 000002
【特許請求の範囲】
【請求項１】
開口を有する板材と、
ソケットに保持されたランプの口金を覆い、前記開口に挿入された挿入部を有するカバーと、
を備え、
前記挿入部は、前記開口に挿入された部分における前記ランプの長手方向に対して平行な線分の第１の長さが、前記開口の位置における前記ランプの長手方向に対して平行な線分の第２の長さ以下であること、
を特徴とする照明器具。
【請求項２】
前記板材は、前記カバーを前記開口に挿入する方向である挿入方向の端の線分の両端を基準として、前記両端の前記挿入方向と反対方向上に、前記開口を有すること、
を特徴とする請求項１に記載の照明器具。
【請求項３】
前記カバーの外郭を形成する線分のうち前記ランプの長手方向の端の線分は、前記挿入部の外郭を形成する線分のうち前記ランプの長手方向の端の線分の延長であること、
を特徴とする請求項１又は請求項２に記載の照明器具。
【請求項４】
前記挿入部は、前記開口によって形成される面に対して垂直であること、
を特徴とする請求項１から請求項３のいずれか１項に記載の照明器具。
【請求項５】
前記カバーは、前記ソケットを覆い、
前記カバーのうち前記板材を境界として前記ランプがある側の空間に露出している部分が、前記ソケットの形状に沿っていること、
を特徴とする請求項１から請求項４のいずれか１項に記載の照明器具。
【請求項６】
前記カバーは、前記板材に固定された固定部を有し、
前記固定部には、ねじ穴が形成され、
前記ねじ穴の中心は、前記固定部において前記固定部の中心より外側に位置すること、
を特徴とする請求項１から請求項５のいずれか１項に記載の照明器具。
【請求項７】
前記ねじ穴の中心は、前記ランプの長手方向の中心から前記固定部の中心よりも前記ランプの長手方向に遠い位置に位置すること、
を特徴とする請求項６に記載の照明器具。
【請求項８】
前記カバーは、前記板材に固定された固定部を有し、
前記固定部は、第１の面と、前記第１の面と対向する第２の面とを有し、
前記第１の面は、前記板材と接触し、
前記第２の面は、前記板材を境界として前記ランプがある側の空間に露出すること、
を特徴とする請求項１から請求項５のいずれか１項に記載の照明器具。
【請求項９】
前記固定部は、第１の面と、前記第１の面と対向する第２の面とを有し、
前記第１の面は、前記板材と接触し、
前記第２の面は、前記板材を境界として前記ランプがある側の空間に露出すること、
を特徴とする請求項６又は請求項７に記載の照明器具。
【請求項１０】
前記挿入部が挿入された前記開口に前記ソケットが挿入された場合において、
前記挿入部は、前記開口に挿入される長さが、前記開口の位置における前記ソケットと前記カバーとの間の距離の２．３倍以上であり、前記ランプの長手方向に対して垂直、かつ前記開口によって形成される面に対して平行な方向の力が前記カバーに加わった場合に、前記板材と接触すること、
を特徴とする請求項１から請求項９のいずれか１項に記載の照明器具。
【発明の詳細な説明】
【技術分野】
【０００１】
本発明は、照明器具に関するものである。
【背景技術】
【０００２】
非常用照明器具は、火災等の停電により通路が暗い場合や通常用照明器具が点灯しないために通路が暗い場合において、避難経路となる通路を照らす必要があるため、予め定められた値以上の照度が求められる。加えて、非常用照明器具は長寿命であることも望まれる。そのため、非常用照明器具には、従来用いられてきた蛍光ランプや白熱電球に替えて、直管形ＬＥＤ（Ｌｉｇｈｔ  Ｅｍｉｔｔｉｎｇ  Ｄｉｏｄｅ）ランプが用いられる傾向にある。
【０００３】
また、非常用照明器具は、火災による高温環境下においても有効に機能する必要がある。そのため、非常用照明器具の外郭部材、例えば、直管形ＬＥＤランプの光を配光する反射板は、不燃材料を主材料とする。一方、直管形ＬＥＤランプには、樹脂製の口金を備えるものがある。そのため、非常用照明器具において、直管形ＬＥＤランプの樹脂製の口金には、不燃材料を主材料とするカバーを装着させる必要がある。
【０００４】
カバーは、第１挿通孔と第２挿通孔と第３挿通孔とを有し反射板に形成された被引掛部に、弾性を利用して引っ掛けられることによって取付けられる（例えば、特許文献１）。カバーは、本体部と、頭部と首部とを有する引掛部とを有する。首部は、本体と頭部とに挟まれる位置にあり、本体部よりも幅が狭い。頭部は、首部よりも幅が広く本体部よりも幅が狭い。頭部及び首部は第１挿通孔に挿入され、首部が第２挿通孔を通って第３挿通孔に移動すると、第３挿通孔の幅が頭部の幅より狭いために、引掛部が被引掛部に引っ掛かる。
【先行技術文献】
【特許文献】
【０００５】
【特許文献１】特開２０１６−８１６７９号公報
【発明の概要】
【発明が解決しようとする課題】
【０００６】
このような照明器具にあっては、引掛部の頭部が被引掛部に引っ掛かるようにするために、本体部と頭部との間に、本体部の幅及び頭部の幅よりも幅の狭い首部を設ける必要がある。しかしながら、例えば引掛部を被引掛部に挿入した状態においてカバーが傾いた場合には、引掛部のうち幅の狭い首部が被引掛部の縁に接触し、カバーが破損してしまうという課題があった。
【０００７】
本発明は、上述のような問題を解決するためになされたものであり、カバーの破損を防ぐことができる照明器具を提供することを目的とする。
【課題を解決するための手段】
【０００８】
本発明にかかる照明器具は、開口を有する板材と、ソケットに保持されたランプの口金を覆い、開口に挿入された挿入部を有するカバーとを備え、挿入部は、開口に挿入された部分におけるランプの長手方向に対して平行な線分の第１の長さが、開口の位置におけるランプの長手方向に対して平行な線分の第２の長さ以下であることを特徴とする。
【発明の効果】
【０００９】
本発明にかかる照明器具によれば、カバーの挿入部は、開口に挿入された部分におけるランプの長手方向に対して平行な線分の第１の長さが、開口の位置におけるランプの長手方向に対して平行な線分の第２の長さ以下である。これにより、挿入部のうち、開口の縁に接触する可能性のある線分の長さを長くすることができ、カバーの破損を防ぐことができる。したがって、カバーの破損を防ぐことができる照明器具を得ることができる。
【図面の簡単な説明】
【００１０】
【図１】本発明の実施の形態１にかかる照明器具を示す斜視図である。
【図２】本発明の実施の形態１にかかる照明器具を示す正面図及び側面図である。
【図３】本発明の実施の形態１にかかる照明器具の構成を示す分解斜視図である。
【図４】本発明の実施の形態にかかる照明器具のカバーの形状を示す図であり、図２（ａ）において、カバーのうちＸ軸方向左側にあるカバーを示す。
【図５】本発明の実施の形態にかかる照明器具のカバーの形状を示す図であり、図２（ａ）において、カバーのうちＸ軸方向右側にあるカバーを示す。
【図６】本発明の実施の形態１にかかる照明器具の断面図を示し、図２（ａ）におけるＢ−Ｂ断面を示す。
【図７】本発明の実施の形態１にかかる照明器具のカバーを説明するための概略図であり、ランプの長手方向に垂直、かつ開口によって形成される面に平行な方向からカバーを見た図である。
【図８】本発明の実施の形態１にかかる照明器具のカバーを説明するための概略図であり、ランプの長手方向と平行な方向からカバーを見た図である。
【発明を実施するための形態】
【００１１】
以下、図を用いて本発明の実施の形態について説明する。なお、各図中、同一又は相当する部分には、同一符号を付して、その説明を適宜省略又は簡略化する。また、実施の形態の説明において、「上」、「下」、「左」、「右」、「前」、「後」、「表」、「裏」といった向きは、説明の便宜上、そのように記しているだけであって、装置、器具、部品等の配置や向き等を限定するものではない。
【００１２】
実施の形態１．
まず、本発明の実施の形態１にかかる照明器具１について外形を簡単に説明する。図１は、本発明の実施の形態１にかかる照明器具１を示す斜視図である。ここで、図１に示す方向と、後述する図２から図８に示す方向は、同じ記号かつ同じ符号であれば、同じ方向を示すものである。なお、図１から図８では、ランプ１３の長手方向をＸ軸方向とする。
【００１３】
本実施の形態にかかる照明器具１は、壁面又は天井面に取り付けられ、非常用照明器具として用いられる。図１において、本実施の形態にかかる照明器具１は、シャーシ５が壁面又は天井面に取り付けられる。ランプ１３への通電は、センサー１４が人等を感知した場合等に応じて制御され、ランプ１３から発せられる光は、板材である反射板３によって配光される。本実施の形態にかかる照明器具１は、反射板３に取り付けられるカバー４Ａ，４Ｂと、点灯点検を行うときに使用する点検スイッチ１２を備える。図１において、反射板３は、センサー１４の周囲を覆うものと一体に形成されていてもよい。本実施の形態において、ランプ１３は、直管形ＬＥＤランプである。
【００１４】
図２は、本発明の実施の形態１にかかる照明器具１を示す正面図及び側面図である。図２（ａ）は、本発明の実施の形態１にかかる照明器具１の正面図を示し、図１の照明器具１を＋Ｚ方向の向きに見た場合を示す。図２（ｂ）は、本発明の実施の形態１にかかる照明器具１の側面図を示し、図１の照明器具１を−Ｘ方向の向きに見た場合を示す。図２（ｃ）は、本発明の実施の形態１にかかる照明器具１の側面図を示し、図１の照明器具１を−Ｙ方向の向きに見た場合を示す。図２（ａ）から図２（ｃ）に示す本実施の形態にかかる照明器具１が備えた部品は、全て図１の本実施の形態１にかかる照明器具１が備えた部品に対応する。図２（ａ）に示すＳ１については、本実施の形態にかかる照明器具１が奏する効果を説明する際に、後述する。
【００１５】
次に、本実施の形態にかかる照明器具１について、構成を詳しく説明する。図３は、本発明の実施の形態１にかかる照明器具１の構成を示す分解斜視図である。図３（ｂ）は、図３（ａ）において破線で囲まれたＡ部の拡大図である。本実施の形態にかかる照明器具１は、シャーシ５が有する取付け穴５ａにボルトを挿入し、さらにナットを用いてシャーシ５を壁面又は天井面に固定することで、壁面又は天井面に取り付けられる。本実施の形態にかかる照明器具１は、商用電源等の交流電源に接続する電源端子台７を備え、電源端子台７は、交流電源からの電力を点灯装置６に供給する。ランプ１３は、点灯装置６によって点灯される。本実施の形態にかかる照明器具１は、人等の存在を検知するセンサー１４と、センサー１４から入力される情報に従って点灯装置６から出力する電力を制御する制御ユニット１５とをさらに備える。
【００１６】
本実施の形態にかかる照明器具１は、ランプ１３の口金１３ａ，１３ｂを保持するソケット８ａ，８ｂと、口金１３ａ，１３ｂを覆うカバー４Ａ，４Ｂを備える。本実施の形態において、カバー４Ａは口金１３ａを覆い、カバー４Ｂは口金１３ｂを覆う。ソケット８ａはソケット取付け台９ａに、ソケット８ｂはソケット取付け台９ｂに取り付けられる。カバー４Ａ，４Ｂは、ねじ４ｃにより反射板３に取り付けられる。カバー４Ａ，４Ｂの形状等の詳細については後述する。
【００１７】
反射板３は、開口３ａ，３ｂを有する。開口３ａには、ソケット８ａ及びカバー４Ａが挿入される。開口３ｂには、ソケット８ｂ及びカバー４Ｂが挿入される。開口３ａ，３ｂのランプ１３の長手方向に対して垂直な方向（±Ｙ方向）の幅は、挿入される予定のソケット８ａ，８ｂのランプ１３の長手方向に対して垂直な方向（±Ｙ方向）の幅に、カバー４Ａ，４Ｂの厚さ分の長さを足したものである。図３（ｂ）に示す被取付け部３ｃには、カバー４Ａを反射板３へ取り付けるためのねじ４ｃが挿入される。
【００１８】
本実施の形態にかかる照明器具１は、商用電源等の交流電源から電力供給を受けて、蓄電池１１を充電するコントロールユニット１０を備える。さらに、本実施の形態にかかる照明器具１は、蓄電池１１の充電状態を確認するための充電モニターを備える。充電モニターは、例えば、緑色のＬＥＤインジケーターである。
【００１９】
本実施の形態において、カバー４Ａ，４Ｂは、不燃材料を主材料とする。ここで、不燃材料とは、国土交通省が建築基準法に従って不燃材料と定める材料であり、例えば、鉄鋼やアルミニウム等である。本実施の形態にかかるカバー４Ａ，４Ｂにおいて、主材料である不燃材料がカバー４Ａ，４Ｂ全体に占める割合は、特に決められるものではない。主材料を不燃材料とするカバー４Ａ，４Ｂに、塗装等を施してもよい。本実施の形態にかかる照明器具１を非常用照明器具として用いる場合に、カバー４Ａ，４Ｂが、本実施の形態にかかる照明器具１が建築基準法を満たすために必要なものとなればよい。
【００２０】
非常用照明器具は、火災時等の高温時にも機能する必要がある。そのため、非常用照明器具の主な部品は、不燃材料を主材料とする。本実施の形態では、本実施の形態にかかる照明器具１を非常用照明器具として使用するので、カバー４Ａ，４Ｂ以外にも、シャーシ５及び反射板３も主材料を不燃材料とする。さらに、直管形ＬＥＤランプには、発光部の主材料が樹脂のものと、ガラスのものとがある。本実施の形態では、本実施の形態にかかる照明器具１を非常用照明器具として使用するので、ランプ１３の発光部は、ガラスを主材料とするものとする。
【００２１】
次に、本実施の形態にかかる照明器具１の動作について説明する。通常時（常用時）は、交流電源からの電力が、点灯装置６及び蓄電池１１へ供給される。点灯装置６へは、電源端子台７を介して、電力が供給される。点灯装置６からランプ１３へ出力される電力は、制御ユニット１５によって制御される。例えば、センサー１４が人等を検知した場合は、ランプ１３が所定の明るさで通路等を照らせるように出力の値が制御され、センサー１４が人等を検知していない場合は、センサー１４が人等を検知した場合よりも暗い明るさで通路等を照らすように出力の値が制御される。なお、センサー１４が人等を検知していない場合において、ランプ１３を消灯するように、点灯装置６に供給された電力のランプ１３への出力を制御してもよい。蓄電池１１へは、コントロールユニット１０を介して、電力が供給される。蓄電池１１に供給された電力は、そのまま蓄電池１１に溜められ、蓄電池１１が充電される。
【００２２】
一方、非常時（停電時）は、交流電源からの電力が点灯装置６及び蓄電池１１へ供給されない。通常時に充電された蓄電池１１からコントロールユニット１０へ電力が供給されるようになり、コントロールユニット１０からランプ１３へ電力が供給され、ランプ１３が点灯する。
【００２３】
次に、本実施の形態にかかる照明器具１を壁面又は天井面への取り付ける方法について説明する。まず、点灯装置６、電源端子台７、ソケット取付け台９ａ，９ｂ、コントロールユニット１０、蓄電池１１、センサー１４、制御ユニット１５等の多数の部品が取り付けられたシャーシ５を壁面又は天井面に取り付ける。ここで、本実施の形態では、多数の部品が取り付けられたシャーシ５を本体と呼ぶこととする。シャーシ５の取付け穴５ａにボルトを挿入して、さらにナットを用いて、壁面又は天井面に本体を固定する。ソケット取付け台９ａにはソケット８ａ、ソケット取付け台９ｂにはソケット８ｂが取り付けられる。
【００２４】
次に、電源端子台７に商用電源を接続して、蓄電池１１をコントロールユニット１０に接続する。次に、反射板３を本体に取り付ける。この時、反射板３に形成されている開口３ａにはソケット８ａ、開口３ｂにはソケット８ｂが挿入される。次に、ランプ１３の口金１３ａ，１３ｂをソケット８ａ，８ｂに嵌め込むことで、反射板３を境界としてランプ１３がある側の空間に露出しているソケット８ａ，８ｂにランプ１３を取り付ける。
【００２５】
ソケット８ａ，８ｂにランプ１３を取り付けた後、ランプ１３の口金１３ａを覆うようにカバー４Ａを、ランプ１３の口金１３ｂを覆うようにカバー４Ｂを配置し、カバー４Ａ，４Ｂの一端を反射板３の開口３ａ，３ｂに挿入する。そして、カバー４Ａ，４Ｂの他端を反射板３に固定して、カバー４Ａ，４Ｂをランプ１３の口金１３ａ，１３ｂを覆うように装着させる。本実施の形態では、カバー４Ａ，４Ｂはランプ１３の口金１３ａ，１３ｂだけでなく、ソケット８ａ，８ｂも覆う。以上により、本実施の形態にかかる照明器具１は、壁面又は天井面へ取り付けられる。
【００２６】
次に、本実施の形態にかかる照明器具１のカバー４Ａ，４Ｂについて詳細を説明する。図４は、本発明の実施の形態にかかる照明器具１のカバー４Ａの形状を示す図であり、図２（ａ）において、カバー４Ａ，４ＢのうちＸ軸方向左側にあるカバー４Ａを示す。図４（ａ）は、カバー４Ａを−Ｘ方向の向きに見た図であり、側面図である。図４（ｂ）は、カバー４Ａを＋Ｙ方向の向きに見た図であり、側面図である。図４（ｃ）は、カバー４Ａを−Ｙ方向の向きに見た図であり、側面図である。図４（ｄ）は、カバー４Ａを−Ｚ方向の向きに見た図であり、下面図である。
【００２７】
図４に示すように、カバー４Ａは挿入部４１ａと固定部４２ａとを有する。固定部４２ａはねじ穴４３ａを有する。挿入部４１ａは、図３（ａ）又は（ｂ）に示す開口３ａに挿入される。ねじ穴４３ａの中心は、固定部４２ａにおいて固定部４２ａの中心よりも外側に位置する。本実施の形態では、挿入部４１ａが開口３ａに挿入された状態において、ねじ穴４３ａの中心は、固定部４２ａの中心よりも外側、かつ、ランプ１３の長手方向の中心から固定部４２ａの中心よりもランプ１３の長手方向に遠い位置に位置する。すなわち、ランプ１３の長手方向の中心とねじ穴４３ａの中心との間の距離は、ランプ１３の長手方向の中心と固定部４２ａの中心との間の距離よりも長い。
【００２８】
図５は、本発明の実施の形態にかかる照明器具１のカバー４Ｂの形状を示す図であり、図２（ａ）において、カバー４Ａ，４ＢのうちＸ軸方向右側にあるカバー４Ｂを示す。図５（ａ）は、カバー４Ｂを＋Ｘ方向の向きに見た図であり、側面図である。図５（ｂ）は、カバー４Ｂを＋Ｙ方向の向きに見た図であり、側面図である。図５（ｃ）は、カバー４Ｂを−Ｙ方向の向きに見た図であり、側面図である。図５（ｄ）は、カバー４Ｂを−Ｚ方向の向きに見た図であり、下面図である。
【００２９】
図５に示すように、カバー４Ｂは挿入部４１ｂと固定部４２ｂとを有する。固定部４２ｂはねじ穴４３ｂを有する。挿入部４２ｂは、図３（ａ）に示した開口３ｂに挿入される。ねじ穴４３ｂの中心は、固定部４２ｂにおいて固定部４２ｂの中心よりも外側に位置する。本実施の形態では、挿入部４１ｂが開口３ｂに挿入された状態において、ねじ穴４３ｂの中心は、固定部４２ｂの中心よりも外側、かつ、ランプ１３の長手方向の中心から固定部４２ｂの中心よりもランプ１３の長手方向に遠い位置に位置する。すなわち、ランプ１３の長手方向の中心と固定部４２ｂの中心との間の距離よりも、ランプ１３の長手方向の中心とねじ穴４３ｂの中心との間の距離の方が長い。
【００３０】
本実施の形態では、被取付け部３ｃとの位置ずれを吸収するために、ねじ穴４３ａ，４３ｂは、直線と円弧とが外周に用いられた長円形状とする。ここで、ねじ穴４３ａ，４３ｂの中心とは、ねじ穴４３ａ，４３ｂにねじ４ｃが挿入され、固定部４２ａ，４２ｂが反射板３にねじ止めされた時のねじ４ｃの中心のことを示す。
【００３１】
図４及び図５に示すように、カバー４Ａ，４Ｂは、帯状の素材が長手方向に沿って湾曲するように形成され、長手方向の一端に挿入部４１ａ，４１ｂ、他端に固定部４２ａ，４２ｂが設けられたものである。
【００３２】
図６は、本発明の実施の形態１にかかる照明器具１の断面図を示し、図２（ａ）におけるＢ−Ｂ断面を示す。以下では、カバー４Ａ，４Ｂの詳細な説明を、カバー４Ａを例として説明する。図６において、反射板３は、ランプ１３から発せられる光を有効に配光するために、開口３ａに対して傾斜を有する設計となっている。
【００３３】
図６に示すように、カバー４Ａの固定部４２ａは、第１の面４２１と、第１の面４２１と対向する第２の面４２２とを有する。第１の面４２１は、反射板３と接触する。第２の面４２２は、反射板３を境界としてランプ１３がある側の空間に露出する。すなわち、図６において、第２の面４２２は、反射板３の開口３ａよりも外側の空間に露出する。本実施の形態において、反射板３を境界とした場合、反射板３よりも壁面又は天井面側を内側とし、その反対を外側とする。
【００３４】
さらに、図６に示すように、カバー４Ａの挿入部４１ａは、開口３ａによって形成される面に対して垂直である。また、カバー４Ａのうち反射板３を境界としてランプ１３がある側の空間に露出している部分は、ソケット８ａの形状に沿っている。本実施の形態では、ソケット８ａの形状は、Ａの字の型である。つまり、ソケット８ａは、反射板３に近づくほど（＋Ｚ方向に行くほど）幅が広くなる末広がりの形状である。
【００３５】
カバー４Ｂもカバー４Ａと同様であるので、固定部４２ｂは、第１の面と第１の面と対向する第２の面を有し、第１の面は反射板３と接触し、第２の面は反射板３を境界としてランプ１３がある側の空間に露出する。また、カバー４Ｂの挿入部４１ｂも、開口３ｂによって形成される面に対して垂直である。さらに、カバー４Ｂのうち反射板３を境界としてランプ１３がある側の空間に露出している部分は、ソケット８ｂの形状に沿っている。
【００３６】
図７は、本発明の実施の形態１にかかる照明器具１のカバー４Ａを説明するための概略図であり、ランプの長手方向に垂直、かつ開口３ａによって形成される面に平行な方向からカバー４Ａを見た図である。図７は、挿入部４１ａが反射板３の開口３ａに挿入された状態を示す。図７に示すように、カバー４Ａが開口３ａに挿入された状態において、挿入部４１ａは、開口３ａに挿入された部分における幅Ｗ１が、開口３ａの位置における幅Ｗ２以下である。ここで、幅Ｗ１及び幅Ｗ２は、挿入部４１ａにおいて、ランプ１３の長手方向に平行な線分の長さを示し、幅Ｗ１を第１の長さ、幅Ｗ２を第２の長さとすると、第１の長さは第２の長さ以下である。
【００３７】
図７において、挿入部４１ａの開口３ａに挿入された部分における幅Ｗ１は、カバー４Ａの挿入方向（＋Ｚ方向）に向かって、途中までは開口の３ａの位置における幅Ｗ２と同じ幅であるが、途中から幅Ｗ２よりも狭くなっている。しかしながら、本実施の形態における照明器具１のカバー４Ａの形状は、これに限られることはなく、挿入部４１ａの開口３ａに挿入された部分における幅Ｗ１が、カバー４Ａの挿入方向に向かって、徐々に狭くなってもよい。また、挿入部４１ａの開口３ａに挿入された部分における幅Ｗ１が、どこの位置においても、開口３ａの位置における幅Ｗ２と同じ幅であってもよい。
【００３８】
さらに、挿入部４１ａが開口３ａに挿入された状態において、反射板３は、カバー４Ａの挿入方向において端の線分Ｅ１の両端を基準として、線分Ｅ１の両端の挿入方向と反対方向（−Ｚ方向）上に、開口３ａを有する。すなわち、＋Ｚ方向の向きに挿入部４１ａを見ると、挿入方向における端の線分Ｅ１の両端は、開口３ａ内に位置する。図７に示すように、挿入部４１ａにおいて、カバー４Ａの挿入方向における端の線分Ｅ１の長さＷ３は、辺Ｅ１の挿入方向の反対方向上に位置する開口３ａの幅Ｗ４よりも短い。
【００３９】
また、図７に示すように、カバー４Ａにおいてランプ１３の長手方向の端の線分Ｅ２からランプ１３の長手方向の中心Ｃまでのランプ１３の長手方向の距離Ｌは、ソケット８ａにおけるランプ１３の長手方向の端の線分Ｅ３からランプ１３の長手方向の中心Ｃまでのランプ１３の長手方向の距離以下である。本実施の形態では、カバー４Ａにおいてランプ１３の長手方向の端の線分Ｅ２は、ソケット８ａにおけるランプ１３の長手方向の端の線分Ｅ３よりもランプ１３の長手方向の中心Ｃ寄りに位置する。ここで、図７において、図示を分かりやすくするために、ランプ１３の長手方向の中心Ｃを黒丸印で示したが、本来は点である。
【００４０】
さらに、本実施の形態では、カバー４Ａの外郭を形成する線分のうちランプ１３の長手方向の端の線分Ｅ２は、挿入部４１ａの外郭を形成する線分のうちランプ１３の長手方向の線分Ｅ４の延長である。線分Ｅ２には線分Ｅ４が含まれ、線分Ｅ２は一直線である。
【００４１】
カバー４Ｂもカバー４Ａと同様であるので、挿入部４１ｂは、開口３ｂに挿入された部分におけるランプ１３の長手方向に平行な線分の長さが、開口３ａの位置におけるランプ１３の長手方向に平行な線分の長さ以下である。また、反射板３は、カバー４Ｂの挿入方向において端の線分Ｅ１の両端を基準として、線分Ｅ１の両端の挿入方向と反対方向（−Ｚ方向）上に、開口３ｂを有する。さらに、カバー４Ｂにおいてランプ１３の長手方向の端の線分からランプ１３の長手方向の中心Ｃまでのランプ１３の長手方向の距離は、ソケット８ｂにおけるランプ１３の長手方向の端の線分からランプ１３の長手方向の中心Ｃまでのランプ１３の長手方向の距離以下である。また、カバー４Ｂを形成するうちランプ１３の長手方向の端の線分は、挿入部４１ｂを形成する線分のうちランプ１３の長手方向の線分の延長である。
【００４２】
図８は、本発明の実施の形態１にかかる照明器具１のカバー４Ｂを説明するための概略図であり、ランプの長手方向と平行な方向からカバー４Ｂを見た図である。以下では、カバー４Ａ，４Ｂの詳細な説明を、カバー４Ｂを例として説明する。図８（ａ）は、カバー４Ｂが反射板３の開口３ｂに挿入され、カバー４Ｂがランプ１３の口金１３ｂ及びソケット８ｂに装着されている状態を示す。図８（ｂ）は、カバー４Ｂをランプ１３の口金１３ｂ及びソケット８ｂから外す際に、カバー４Ｂがソケット８ｂに接触した状態を示す。
【００４３】
図８に示すように、本実施の形態にかかる照明器具１のカバー４Ｂの挿入部４１ｂの長さは、Ｌ１として示す。図８（ａ）において、開口３ｂの位置におけるソケット８とカバー４Ｂとの間の距離は、Ｌ２として示す。図８（ｂ）において、挿入部４１ｂのうち開口３ｂに挿入されている部分の長さは、Ｌ３として示す。
【００４４】
ここで、カバー４Ａを照明器具１から外す作業において、カバー４Ｂが傾いてカバー４Ｂとソケット８ｂが接触した時（以下、この時を接触時と呼ぶこととする。）のことを考える。接触時に、カバー４Ｂの挿入部４１ｂが開口３ｂから抜けた状態、すなわちカバー４Ｂの挿入部４１ｂが開口３ｂに挿入されていない状態であると、カバー４Ｂはさらに傾き易い状態にあるため、カバー４Ｂが傾いてソケット８ｂを壊し、さらにはランプ１３の口金１３ｂまでも壊してしまうことがある。
【００４５】
本実施の形態にかかる照明器具１は、挿入部４１ｂが、接触時にカバー４Ｂの挿入部４１ｂが開口３ｂから抜けていない状態、すなわち接触時にカバー４Ｂの挿入部４１ｂが開口３ｂに挿入された状態となる長さを有する。これにより、カバー４Ｂをランプ１３の口金１３ｂから外す作業において、ソケット８ｂが壊れるのを防ぐことができ、ランプ１３の口金１３ｂが壊れるのを防ぐことができる。
【００４６】
図８より、接触時にカバー４Ｂの挿入部４１ｂが開口３ｂから抜けていない状態とするのに必要な挿入部４１ｂの長さは、Ｌ１からＬ３を引いた長さ以上である。ここで、本実施の形態において、Ｌ１は７．０ｍｍであり、Ｌ２は１．５ｍｍ、Ｌ３は３．５ｍｍである。挿入部４１ｂに必要な長さは、Ｌ１からＬ３を引いた値なので、３．５ｍｍである。挿入部４１ｂに必要な長さは、Ｌ１である開口３ｂの位置におけるカバー４Ｂとソケット８ｂとの距離に依存する。挿入部４１ｂに必要な長さと、Ｌ１である開口３ｂの位置におけるカバー４Ｂとソケット８ｂとの距離との関係を示す（Ｌ１−Ｌ３）／Ｌ２の値は、Ｌ１、Ｌ２及びＬ３の有効数字が２桁であるので、２．３である。
【００４７】
つまり、挿入部４１ｂの開口３ｂに挿入される長さは、開口３ｂの位置におけるソケット８ｂとカバー４Ｂとの間の距離の２．３倍以上であり、ランプ１３の長手方向に対して垂直、かつ開口３ｂによって形成される面に対して平行な方向の力がカバー４Ｂに加わった場合に、挿入部４１ｂと反射板３とが接触する長さである。
【００４８】
カバー４Ａもカバー４Ｂと同様であるので、挿入部４１ａの開口３ａに挿入される長さは、開口３ａの位置におけるソケット８ａとカバー４Ａとの間の距離の２．３倍以上であり、ランプ１３の長手方向に対して垂直、かつ開口３ａによって形成される面に対して平行な方向の力がカバー４Ａに加わった場合に、挿入部４１ａと反射板３とが接触する長さである。
【００４９】
本実施の形態では、開口３ａ，３ｂを反射板３に形成したが、反射板３でなくてもよい。例えば、シャーシ５に形成されていてもよく、開口３ａ，３ｂに挿入されるソケット８ａ，８ｂがランプ１３の口金１３ａ，１３ｂを保持することができ、開口３ａ，３ｂに一部が挿入されるカバー４Ａ，４Ｂがランプ１３の口金１３ａ，１３ｂを覆うことができればよい。また、本実施の形態では、開口３ａ，３ｂにソケット８ａ，８ｂとカバー４Ａ，４Ｂとの両方が挿入されているが、ソケット８ａ，８ｂが挿入される開口と、カバー４Ａ，４Ｂとが挿入される開口とが別に設けられていてもよい。
【００５０】
また、本実施の形態では、ランプ１３を直管形ＬＥＤランプとしたが、これに限られることはなく、蛍光ランプもよい。さらに、本実施の形態では、カバー４Ａ，４Ｂの主材料を不燃材料としたが、本実施の形態にかかる照明器具１を非常用照明器具として使用しない場合は、不燃材料でなくてもよい。
【００５１】
また、本実施の形態では、カバー４Ａの挿入部４１ａが開口３ａに挿入され、カバー４Ａの固定部４２ａが反射板３にねじ止めされるとしたが、固定部４２ａは反射板３に接着剤等で固定されてもよく、弾性を利用して反射板３に係合させる又は引っ掛けるとしてもよい。さらに、本実施の形態では、固定部４２ａが反射板３に固定されるとしたが、その他の部材、例えばシャーシ５であってもよい。また、本実施の形態１にかかる照明器具１が床面に取り付けられる場合等は、カバー４Ａがランプ１３の口金１３ａを覆った状態を維持することができれば、カバー４Ａが固定部４２ａを有さないカバー４Ａであってもよい。カバー４Ｂについても同様であり、固定部４２ｂは反射板３に接着剤等で固定されてもよく、弾性を利用して反射板３に係合させる又は引っ掛けるとしてもよい。また、カバー４Ａと同様に、反射板３以外のその他の部材に固定されていてもよく、固定部４２ｂを有さないカバー４Ｂであってもよい。
【００５２】
さらに、本実施の形態では、カバー４Ａの挿入部４１ａが開口３ａに挿入され、カバー４Ｂの挿入部４１ｂが開口３ｂに挿入されるとしたが、カバー４Ａの挿入部４１ａは開口３ａに挿入されるが、カバー４Ｂの挿入部４１ｂは開口３ｂに挿入されずに、別に形成された開口に挿入されるとしてもよい。もちろん、カバー４Ｂの挿入部４１ｂは開口３ｂに挿入されるが、カバー４Ａの挿入部４１ａは開口３ａに挿入されずに、別に形成された開口に挿入されるとしてもよい。その他、カバー４Ａの挿入部４１ａは開口３ａに挿入されるが、カバー４Ｂの挿入部４１ｂは開口３ｂに挿入されずに、固定部４２ｂと同様の形状として反射板３にねじ止めされるとしてもよい。もちろん、カバー４Ｂの挿入部４１ｂは開口３ｂに挿入されるが、カバー４Ａの挿入部４１ａは開口３ａに挿入されずに、固定部４２ａと同様の形状として反射板３にねじ止めされるとしてもよい。
【００５３】
また、本実施の形態では、カバー４Ａ，４Ｂにおいてランプ１３の長手方向の端の線分からランプ１３の長手方向の中心Ｃまでのランプ１３の長手方向の距離は、ソケット８ａ，８ｂにおけるランプ１３の長手方向の端の線分からランプ１３の長手方向の中心Ｃまでのランプ１３の長手方向の距離以下であるとしたが、これに限定されることはない。すなわち、カバー４Ａ，４Ｂにおいてランプ１３の長手方向の端の線分からランプ１３の長手方向の中心Ｃまでのランプ１３の長手方向の距離は、ソケットにおけるランプ１３の長手方向の端の線分からランプ１３の長手方向の中心Ｃまでのランプ１３の長手方向の距離以上であってもよい。
【００５４】
以上のような構成としたことにより、本実施の形態では、カバー４Ａ，４Ｂの破損を防ぐことができる照明器具１を得ることができる。
【００５５】
本実施の形態では、挿入部４１ａ，４１ｂが開口３ａ，３ｂに挿入された状態において、挿入部４１ａ，４１ｂが開口３ａ，３ｂに挿入された部分におけるランプ１３の長手方向に対して平行な線分の第１の長さ（図７における幅Ｗ１）は、開口３ａ，３ｂの位置におけるランプ１３の長手方向に対して平行な線分の第２の長さ（図７における幅Ｗ２）以下である。すなわち、挿入部４１ａ，４１ｂが開口３ａ，３ｂに挿入された状態において、挿入部４１ａ，４１ｂのうち、開口の位置におけるランプの長手方向に対して平行な線分の第２の長さは、開口に挿入された部分におけるランプの長手方向に対して平行な線分の第１の長さ以上であるので、開口の縁に接触する可能性のある挿入部の幅を広くすることができ、カバーの破損を防ぐことができる。つまり、挿入部４１ａ，４１ｂのうち、開口の縁に接触する可能性のある線分の長さが、長くなっているので、カバーの破損を防ぐことができる。これにより、カバー４Ａ，４Ｂの破損を防ぐことができる照明器具１を得ることができる。
【００５６】
また、本実施の形態にかかる照明器具１のカバー４Ａ，４Ｂは、開口３ａ，３ｂへ挿入し易い形状となっている。これにより、本実施の形態にかかる照明器具１は、カバー４Ａ，４Ｂを開口３ａ，３ｂへ挿入する際の作業性が向上する。
【００５７】
さらに、本実施の形態では、反射板３は、カバー４Ａ，４Ｂを開口３ａ，３ｂに挿入する方向である挿入方向の端の線分の両端を基準として、両端の挿入方向と反対方向上に、開口３ａ，３ｂを有する。これにより、本本実施の形態にかかる照明器具１は、カバー４Ａ，４Ｂを開口３ａ，３ｂから抜く際の作業性が向上する。なぜなら、カバー４Ａ，４Ｂを照明器具１から外す際は、カバー４Ａ，４Ｂを反射板３へ固定しているねじ４ｃを外した後、カバー４Ａ，４Ｂを開口３ａ，３ｂに対して挿入した方向と反対方向に引き抜くだけでカバー４Ａ，４Ｂを照明器具１から外せるからである。
【００５８】
次に、本実施の形態では、挿入部４１ａ，４１ｂは、開口３ａ，３ｂに挿入される長さが、開口３ａ，３ｂの位置におけるソケット８ａ，８ｂとカバー４Ａ，４Ｂとの間の距離の２．３倍以上であり、ランプ１３の長手方向に対して垂直、かつ開口３ａ，３ｂによって形成される面に対して平行な方向の力がカバー４Ａ，４Ｂに加わった場合に、反射板３と接触する。これにより、カバー４Ａ，４Ｂを照明器具１から外す作業において、カバー４Ａ，４Ｂが傾いてカバー４Ａ，４Ｂとソケット８ａ，８ｂが接触した時に、挿入部４１ａ，４１ｂが開口３ａ，３ｂから抜けた状態とならないので、カバー４Ａ，４Ｂがさらに傾くことを防ぐことができる。したがって、カバー４Ａ，４Ｂを照明器具１から外す作業において、ソケット８ａ，８ｂが壊れるのを防ぐことができ、ランプ１３の口金１３ａ，１３ｂが壊れるのを防ぐことができる。
【００５９】
また、本実施の形態では、カバー４Ａ，４Ｂにおいてランプ１３の長手方向の端の線分Ｅ２からランプ１３の長手方向の中心までのランプの長手方向の距離が、ソケット８ａ，８ｂにおけるランプ１３の長手方向の端の線分Ｅ３からランプ１３の長手方向の中心までのランプ１３の長手方向の距離以下である。これにより、本実施の形態にかかる照明器具１が、カバー４Ａ，４Ｂの装着がない照明器具と隣接して取り付けられても、本実施の形態にかかる照明器具１とカバー４Ａ，４Ｂの装着がない照明器具との外観の差異が少なくて済む。なぜなら、カバー４Ａ，４Ｂの装着がある場合もない場合も、ソケット８ａ，８ｂにおけるランプ１３の長手方向の端の線分Ｅ３が、照明器具１のランプ１３の長手方向の端となるからである。
【００６０】
次に、本実施の形態では、カバー４Ａ，４Ｂの外郭を形成する線分のうちランプ１３の長手方向の端の線分Ｅ２が、挿入部４１ａ，４１ｂの外郭を形成する線分のうちランプ１３の長手方向の端の線分Ｅ４の延長である。これにより、本実施の形態にかかる照明器具１のように、センサー１４を備え、センサー１４の周囲を覆うものがある場合、線分Ｅ２及び線分Ｅ４を図２（ａ）に示す面Ｓ１（センサー１４の周囲を覆うものが有する面）に沿わせるだけで、カバー４Ａ，４Ｂの位置決めを簡単にすることができる。さらに、カバー４Ａが−Ｘ方向（ランプ１３の長手方向の中心Ｃからランプ１３の長手方向外側へ向かう方向）、カバー４Ｂが＋Ｘ方向（ランプ１３の長手方向の中心Ｃからランプ１３の長手方向外側へ向かう方向）に傾こうとした場合、線分Ｅ２及び線分Ｅ４のすべてが面Ｓ１に接触するので、カバー４Ａの−Ｘ方向への回転、カバー４Ｂの＋Ｘ方向への回転を防ぐことができ、開口３ａ，３ｂの破損を防ぐことができる。
【００６１】
また、本実施の形態では、挿入部４１ａ，４１ｂは、開口３ａ，３ｂによって形成される面に対して垂直である。これにより、開口３ａ，３ｂの大きさを小さくすることと、カバー４Ａ，４Ｂを開口３ａ，３ｂへ挿入する際の作業性の向上及びカバー４Ａ，４Ｂを開口３ａ，３ｂから抜く際の作業性の向上とを両立させることができる。
【００６２】
次に、本実施の形態では、カバー４Ａ，４Ｂはソケット８ａ，８ｂを覆い、カバー４Ａ，４Ｂのうち反射板３を境界としてランプ１３がある側の空間に露出している部分が、ソケット８ａ，８ｂの形状に沿っている。これにより、実施の形態にかかる照明器具１が、カバー４Ａ，４Ｂの装着がない照明器具と隣接して取り付けられても、本実施の形態にかかる照明器具１とカバー４Ａ，４Ｂの装着がない照明器具との外観の差異が少なくて済む。なぜなら、カバー４Ａ，４Ｂの装着がある場合もない場合も、照明器具１の長手方向両端部の外観がほぼ同じになるからである。
【００６３】
さらに、本実施の形態では、カバー４Ａ，４Ｂの固定部４２ａ，４２ｂには、ねじ穴４３ａ，４３ｂが形成され、ねじ穴４３ａ，４３ｂの中心は、固定部４２ａ，４２ｂにおいて固定部４２ａ，４２ｂの中心より外側に位置する。これにより、カバー４Ａ，４Ｂの回転を防ぎたい方向に合わせて、ねじ穴４３ａ，４３ｂの位置を決めることができる。
【００６４】
本実施の形態では、ねじ穴４３ａ，４３ｂの中心を、固定部４２ａ，４２ｂにおいて固定部４２ａ，４２ｂの中心より外側、かつ、ランプ１３の長手方向の中心から固定部４２ａ，４２ｂの中心よりもランプ１３の長手方向に遠い位置に位置させた。これにより、カバー４Ａ，４Ｂのランプ１３の長手方向の中心Ｃからランプ１３の長手方向外側へ向かう方向の回転を防ぐことができるので、カバー４Ａ，４Ｂの回転によりランプ１３が破損することを防ぐことができる。
【００６５】
また、本実施の形態では、カバー４Ａ，４Ｂの固定部４２ａ，４２ｂは、第１の面４２１と、第１の面４２１と対向する第２の面４２２とを有し、第１の面４２１は、反射板３と接触し、第２の面４２２は、反射板３を境界としてランプ１３がある側の空間に露出する。本実施の形態では、ランプ１３の口金１３ａ，１３ｂを覆うようにカバー４Ａ，４Ｂを配置するだけで、固定部４２ａ，４２ｂを反射板３へねじ止めできるので、カバー４Ａ，４Ｂをランプ１３の口金１３ａ，１３ｂに装着する際の作業性が向上する。
【００６６】
なお、本発明は、発明の範囲内において、各実施の形態を自由に組み合わせること、各実施の形態を適宜、変形、省略することが可能である。各実施の形態において例示された各構成要素の寸法、材質、形状、それらの相対配置等は、本発明が適用される装置の構成や各種条件により適宜変更されるものであり、本発明はそれらの例示に限定されるものではない。また、各図における各構成要素の寸法は、実際の寸法と異なる場合がある。
【符号の説明】
【００６７】
１  照明器具、３  反射板、３ａ，３ｂ  開口、３ｃ  被取付け部、４Ａ，４Ｂ  カバー、４ｃ  ねじ、５  シャーシ、５ａ  取付け穴、６  点灯装置、７  電源端子台、８ａ，８ｂ  ソケット、９ａ，９ｂ  ソケット取付け台、１０  コントロールユニット、１１  蓄電池、１２  点検スイッチ、１３  ランプ、１３ａ，１３ｂ  口金、１４  センサー、１５  制御ユニット、４１ａ，４１ｂ  挿入部、４２ａ，４２ｂ  固定部、４３ａ，４３ｂ  ねじ穴、４２１  第１の面、４２２  第２の面。
【図１】
2018056042.tif 000003
【図２】
2018056042.tif 000004
【図３】
2018056042.tif 000005
【図４】
2018056042.tif 000006
【図５】
2018056042.tif 000007
【図６】
2018056042.tif 000008
【図７】
2018056042.tif 000009
【図８】
2018056042.tif 000010